(57)【要約】 【課題】センサーからのアラーム信号などにより、離れた場所にいる人に通報するシステムはいろいろあるが、小型軽量で簡単にセットできる汎用の通信システムがほしい。【解決手段】タイマーの信号またはセンサーのアラーム信号を受け付けたら、携帯電話のメール機能を利用して通報する構成とした。送信用の携帯電話を機種対応の ホルダーに装着し、このホルダーをホルダー装着部に装着する方法により、複数機種の携帯電話を送信用として使用することができる。また、通報の条件設定はすべて本体に設置されている切替スイッチの操作で簡単に行うことができる。携帯電話のメール送信機能を利用した一般的な通信手段であるため、多用途に幅広く応用できる。【選択図】  図１
2009021675.tif 000002
【特許請求の範囲】
【請求項１】
通信条件を設定する機能を持った本体部と、携帯電話を装着する携帯電話ホルダーと、
携帯電話ホルダーを装着するホルダー装着部とから成る携帯電話送信機。
【請求項２】
請求項１記載の通信条件を設定する機能を持った本体部において、タイマーの時間設定
による発信またはセンサーのアラーム信号による発信を切替スイッチによって設定できる
ように構成されている携帯電話送信機。
【請求項３】
請求項１記載の携帯電話ホルダーを装着するホルダー装着部において、携帯電話ホルダ
ーから携帯電話の機種を特定する情報を読み取る機能と、携帯電話の駆動信号を携帯電話
ホルダーに伝達する機能とを持った携帯電話送信機。
【請求項４】
請求項１記載の携帯電話を装着する携帯電話ホルダーにおいて、携帯電話の機種を特定
する情報をホルダー装着部に与える機能と、ボタン押下げ機構を内臓することにより携帯
電話のボタンを押下げる機能またはコネクタにより携帯電話を直接駆動する信号を携帯電
話に伝達する機能と、複数機種に対応できるよう標準化された共通の外形とを持った携帯
電話送信機。
【請求項５】
請求項１記載の通信条件を設定する機能を持った本体部において、少なくとも通信条件
設定情報と携帯電話機種情報とタイマー信号とアラーム信号とを入力情報として、送信す
るかしないかを判定する機能と、送信時に携帯電話機種対応のボタン押下げ順序または
送信用信号配列にしたがって信号を出力する機能とを持った携帯電話送信機。
【発明の詳細な説明】
【技術分野】
【０００１】
本発明は、タイマーの信号またはセンサーの信号をトリガーとして情報を発信する機能
を持った通信機に関するものである。 
【背景技術】
【０００２】
電圧や電流や温度などをコントロールしているときに異常が発生した場合にいち早く知
らせるために、監視盤や卓上電話や携帯電話などに通報するシステムが従来から実用化されている。また電気ポットなどの家電品からの信号をトリガーとした通報システムやパソ
コンに携帯電話を設置して通信する方法などが実用化されている。
【発明の開示】
【発明が解決しようとする課題】
【０００３】
手軽に設定できる情報発信専用機がほしい。
【０００４】
携帯電話の機能を生かした写真送付などの送信ができるようにしたい。 
【０００５】
複数機種の携帯電話が使用できるようにしたい。
【０００６】
本発明はこれらの事情に鑑み、設定が簡単な情報通信機を提供するものである。
【課題を解決するための手段】
【０００７】
通信条件を設定する機能を持った本体部と、携帯電話を装着する携帯電話ホルダーと、
携帯電話ホルダーを装着するホルダー装着部とから成る携帯電話送信機を提供する。 
【０００８】
請求項１および請求項２記載の本体部は、タイマーまたはセンサーによる通報をスイッ
チ切替だけで簡単に設定できる。
【０００９】
情報通信は携帯電話のメール機能を使って行う。
【００１０】
当該機種対応の携帯電話ホルダーに携帯電話を装着し、この携帯電話ホルダーをホルダ
ー装着部に装着する。
【００１１】
請求項１および請求項４記載の携帯電話ホルダーは、ホルダー装着部に装着できるよう
外形が標準化されている。
【００１２】
請求項１および請求項３記載のホルダー装着部は、本体の一部に組み込まれた一体型
でも良く、本体とは別個に存在する分離型でも良い。
【００１３】
請求項３のホルダー装着部には、携帯電話の機種情報を受取る機能を持った機構と、携
帯電話を駆動する信号を携帯電話ホルダーに伝える機構とが設けられている。
【００１４】
請求項４の携帯電話ホルダーには、携帯電話の機種情報をホルダー装着部に伝えるため
に形成された機構と、信号を受けて携帯電話のボタンを押下げる動力を発生させる機構または携帯電話を駆動する信号を携帯電話に直接入力するためのコネクタとが設けられている。
【００１５】
請求項５の本体部には、通信条件設定情報と携帯電話機種情報とタイマー用信号とアラ
ーム信号とを入力情報として、送信するかしないかを判定する機能と、送信時に携帯電話
機種対応のボタン押下げ順序にしたがってボタン押下げ動力を発生させる信号または携帯電話を直接駆動する信号を出力する機能とを持ったマイコンが設置されている。
【発明の効果】
【００１６】
通報条件の設定はスイッチ切替で簡単に行える。
【００１７】
通報時の携帯電話操作はあらかじめ本体部に準備してある機種対応の標準のボタン押下
げ順序または駆動用電気信号にしたがって行われるので、設定の手間がかからない。
【００１８】
携帯電話のメール送信機能を利用した一般的な通信手段であるため、例えば設備や装置
のアラーム情報、事務所や自宅の防犯通報、家庭のペットの様子確認など多用途に幅広く
応用できる。
【発明を実施するための最良の形態】
【００１９】
以下、本発明の実施の形態を図１〜図７に基づいて説明する。
【００２０】
本体１に設けられた通報時間間隔選択スイッチ部２は、３つのスイッチより成り、１つめはタイマーを使用するか否かを選ぶタイマー選択切替スイッチ１３、２つめは分単位にするか時間単位にするかを選択する時間単位切替スイッチ１４、３つめは通報時間間隔切替スイッチ１５である。
【００２１】
タイマーを使用して１時間おきに通報を設定する場合は、タイマー選択切替スイッチ１３でタイマーを使用する方にセットし、時間単位切替スイッチ１４で時間単位にセットし、通報時間間隔切替スイッチ１５で１にセットする。 
【００２２】
本体１に設けられたセンサー信号選択スイッチ部３は各センサーに対応してスイッチが設けられ、スイッチの切替により、複数のセンサーからの入力信号のどれを受け入れるかを選択する。
【００２３】
選択されたセンサー信号についてはイネーブル表示用ＬＥＤ１９が点灯する。選択され
たセンサー信号についてアラームが発生した場合は、アラーム表示用ＬＥＤ２０が点灯す
る。
【００２４】
センサーからの信号に基く通報は、アラームが発生したときメールで発信され、各センサーのアラーム発生の有無が伝達される。
【００２５】
本体１に設けられたその他通報条件設定部４には、写真を添付するかどうかの切替を行う写真添付切替スイッチ１６と、アラームが継続して発生している場合に繰返し通報する時間間隔を設定するアラーム時通報時間間隔切替スイッチ１７と、発信チェック用押ボタンスイッチ１８とが設けられている。
【００２６】
写真添付切替スイッチ１６により通報時にメールに写真を添付するかどうかの設定を行う。
【００２７】
センサーから継続してアラーム信号が発生している場合の繰返し通報時間について、あ
らかじめ決められたいくつかの通報時間間隔の中からアラーム時通報時間間隔切替スイッ
チ１７により指定する。
【００２８】
携帯電話ホルダーを装着するホルダー装着部には、携帯電話ホルダー固定用バネ２１と、携帯電話を駆動する信号を伝達する駆動信号コネクタ２２と、携帯電話の機種を特定する情報を受け取る押ボタンスイッチ２３とが設けられている。
【００２９】
携帯電話ホルダーには、携帯電話の機種を特定する情報を伝達するための押ボタンスイ
ッチ逃し穴２７と、 携帯電話を駆動する信号を伝達する駆動信号コネクタ２２Ａとが設けられている。
【００３０】
携帯電話ホルダーは携帯電話の各機種に対応して設けられ、駆動信号により携帯電話の
押ボタンを押下げるためのソレノイド２６は各機種の押ボタンの位置に合わせて配置され
ている。
【００３１】
携帯電話挿入口２８は各機種の外形に合わせた形状となっており、携帯電話を挿入することにより、携帯電話押えバネ２４とローラー２５で固定される。
【００３２】
携帯電話ホルダーの外形は標準化され、すべての携帯電話ホルダーがホルダー装着部に
装着できるようになっている。
【００３３】
携帯電話を駆動する信号を伝達する駆動信号コネクタ２２と２２Ａの接続と、携帯電話
の機種情報設定とは、携帯電話ホルダーをホルダー装着部に装着することにより実行され
る。
【００３４】
図３に示す本体の電源スイッチ１２をONにすることにより、マイコン３６が上記の情報処理をあらかじめプログラムされている手順にしたがって実行する。
【００３５】
本体内部回路１Ａは、タイマー用信号回路３０の出力をマイコンに伝える機能と、通報時間間隔選択スイッチ部２で選択された条件によりタイム選択入力信号３１を発生させてマイコンに伝える機能と、センサー信号選択スイッチ部３で選択されたセンサーの信号をセンサー信号選択回路３２において選択してマイコンに伝える機能と、その他通報条件設定部４において設定された通報条件をその他通報条件入力信号３３としてマイコンに伝える機能と、ホルダー装着部５より伝達される携帯電話機種情報入力信号３４をマイコンに伝える機能と、以上の入力情報をマイコン３６で処理して携帯電話駆動出力信号３５をホルダー装着部へ出力する機能とを持っている。
【００３６】
携帯電話の駆動信号の配列についても、あらかじめマイコン３６にプログラムされてお
り、その手順にしたがって携帯電話駆動出力信号３５を出力しメール送信が行われる。
【００３７】
以上説明した実施の形態において、携帯電話ホルダーには携帯電話の押ボタンを押下げ
るソレノイド２６が配置されている構造としたが、駆動信号コネクタ２２Ａで受け取った
信号を携帯電話の信号用コネクタに接続することにより、押ボタンを介さず携帯電話を駆
動することもできる。
【図面の簡単な説明】
【００３８】
【図１】本発明の一実施形態による携帯電話送信機の情報処理フロー図
【図２】本発明の一実施形態による携帯電話送信機のセットアップイメージ図
【図３】上記携帯電話送信機本体の外観図
【図４】上記携帯電話送信機を構成するホルダー装着部の平面図
【図５】上記携帯電話送信機を構成するホルダー装着部の正面図
【図６】上記携帯電話送信機を構成する携帯電話ホルダーの平面図
【図７】上記携帯電話送信機を構成する携帯電話ホルダーの正面図
【符号の説明】
【００３９】
１  本体
１Ａ  本体内部回路
２  通報時間間隔選択スイッチ 
３  センサー信号選択スイッチ
４  その他通報条件設定部
５  ホルダー装着部 
６  被検体から発せられる情報
７  センサー
８  信号ライン
９  電波
１０  ユーザーの携帯電話
１３  タイマー選択切替スイッチ
１４  時間単位切替スイッチ
１５  通報時間間隔切替スイッチ
１６  写真添付切替スイッチ
１７  アラーム時通報時間間隔切替スイッチ
２２  駆動信号コネクタ
２２Ａ  駆動信号コネクタ（携帯電話ホルダー側）
２３  押ボタンスイッチ
２７  押ボタンスイッチ逃し穴
２８  携帯電話挿入口
３０  タイマー用信号回路
３１  タイム選択入力信号
３２  センサー信号選択回路
３３  その他通報条件入力信号
３４  携帯電話機種情報入力信号
３５  携帯電話駆動出力信号
３６  マイコン
【図１】
2009021675.tif 000003
【図２】
2009021675.tif 000004
【図３】
2009021675.tif 000005
【図４】
2009021675.tif 000006
【図５】
2009021675.tif 000007
【図６】
2009021675.tif 000008
【図７】
2009021675.tif 000009